(57)【要約】【課題】圧力抵抗及び船体振動を改善するための流れ制御装置を提供する。【解決手段】本発明の流れ制御装置は、船舶の長さ方向において第２ステーションと第４ステーションとの間の位置及び船舶の高さ方向において船底から設計喫水の１０％〜２０％の間の位置に配置され、設計喫水線に対して２０度〜４０度の角度で傾けられた下側フィンと、船舶の長さ方向において第２ステーションと第４ステーションとの間の位置及び船舶の高さ方向において船底から設計喫水の３０％〜６０％の間の位置に配置され、設計喫水線に対して１０度〜３０度の角度で傾けられた上側フィンとを含む。更に、船舶の長さ方向において第１ステーションと第３ステーションとの間の位置及び船舶の高さ方向において船底から設計喫水の５％〜２０％の間の位置に配置され、設計喫水線に対して１０度〜４０度の角度で傾けられた追加フィンを含む。【選択図】図５
2010502492.tif 000002
【特許請求の範囲】
【請求項１】
圧力抵抗及び船体振動を改善するための流れ制御装置であって、
船舶の長さ方向において前記船舶の第２ステーションと第４ステーションとの間の位置、及び前記船舶の高さ方向において前記船舶の船底から設計喫水の１０％から２０％の間の位置に配置され、設計喫水線（又はベースライン）に対して２０度から４０度の角度で傾けられた下側フィンと、
前記船舶の前記長さ方向において前記船舶の前記第２ステーションと前記第４ステーションとの間の位置、及び前記船舶の前記高さ方向において前記船舶の前記船底から前記設計喫水の３０％から６０％の間の位置に配置され、前記設計喫水線（又はベースライン）に対して１０度から３０度の角度で傾けられた上側フィンとを含むことを特徴とする流れ制御装置。
【請求項２】
前記船舶の前記長さ方向において前記船舶の第１ステーションと第３ステーションとの間の位置、及び前記船舶の前記高さ方向において前記船舶の前記船底から前記設計喫水の５％から２０％の間の位置に配置され、前記設計喫水線（又はベースライン）に対して１０度から４０度の角度で傾けられた追加フィンを更に含むことを特徴とする請求項１に記載の流れ制御装置。
【請求項３】
前記上側フィン、前記下側フィン、及び前記追加フィンは、矩形、台形又は三角形の形状をなすように形成されることを特徴とする請求項２に記載の流れ制御装置。
【請求項４】
前記上側フィン、前記下側フィン、及び前記追加フィンはそれぞれ、厚さが２０ｍｍから１００ｍｍであり、幅が前記船舶の長さの０.１％から０.５％の間の長さであり、長さが前記船舶の前記長さの０.３％から３％の間の長さであることを特徴とする請求項３に記載の流れ制御装置。
【請求項５】
船舶であって、
請求項１に記載の前記流れ制御装置を備えることを特徴とする船舶。
【発明の詳細な説明】
【技術分野】
【０００１】
本発明は、圧力抵抗及び船体振動を改善するための流れ制御装置に関し、より詳しくは、船舶推進器によって生じる振動を減少させることによって船舶の乗員乗客が快適な環境で航海することができるようにし、また船舶の推進効率を向上させる、圧力抵抗及び船体振動を改善するための流れ制御装置に関する。
【背景技術】
【０００２】
近年、航空機などの輸送手段の発達に伴い、世界各地へ貨物が迅速に輸送されている。しかしながら、石油、天然ガス、自動車、コンテナなどのように積荷体積が非常に大きく、積荷重量が重い場合、これらのものを航空機で一度に大量に輸送することができないため、船舶で輸送するのが一般的である。
【０００３】
船舶を用いて貨物を輸送する場合、大量の貨物を一度に迅速に輸送するために、船舶の大型化及び高速化が必要である。しかしながら、大型の船舶を高速で移動させるためにエンジンの馬力が増加することにより、船舶推進器によって発生する船体振動が増し、消費される燃料の量が大幅に増えてしまう。
【０００４】
このため、エンジンの馬力を増加した場合でも、船舶推進器によって発生する船体振動を減少し、燃料を節約することができる装置の開発が求められている。
【０００５】
図１は、従来技術による船舶のフィン装置を示す側面概略図である。図２は、従来技術による船舶のフィン装置によって制御される流体の流れを示す側面概略図である。図３は、図１のフィン装置が備えられた船舶のプロペラに流れ込む流体の流速と、フィン装置が備えられていない裸殻船体（bare hull）のプロペラに流れ込む流体の流速との比較を示す図である。図４は、図１のフィン装置が備えられた船舶の等圧力線と裸殻船体の等圧力線との比較を示す図である。
【０００６】
前記従来技術による船舶のフィン装置は、特許文献１で開示されているものであり、推進効率を向上し、船体抵抗を低減することを目的としている。
【０００７】
前記船舶の前記フィン装置は、前方側面に配置された短冊状のフィン５と、後方側面に配置された短冊状のフィン６との２つの短冊状のフィンを含む。フィン５、６の両方とも、船体の外板からほぼ直角方向に突出するように装着される。また、フィン５、６の両方とも、厚さの薄いものである。
【０００８】
前側フィン５は、船尾垂線８から船首側に距離Ｓ（Ｌｂｐの１５％以内）の位置にその取付起点を有し、プロペラ４の中心線の高さよりも低い高さにて取り付けられる。前側フィン５は、船尾側に向かうほど船底からの高さが高くなるように傾けられている。前側フィン５の長さＬ１は、プロペラ４の直径Ｄ以下である。前側フィン５の船体からの突出幅は、プロペラ４の直径Ｄの１０％以下である。
【０００９】
後側フィン６は、プロペラ４の中心線からプロペラチップの高さの間にて、船底に対して平行に取り付けられる。また、後側フィン６は、前記プロペラのすぐ前に取り付けられる。後側フィン６の長さＬ２は、プロペラ４の直径Ｄ以下である。後ろ側フィン６の船体からの突出幅は、プロペラ４の直径Ｄの２０％以下である。
【００１０】
前側フィン５は、船舶の船底から船側へ螺旋状に回り込む渦（ビルジ渦）９を弱め、その渦を順次プロペラの方に誘導する役割を果たす。後側フィン６は、前側フィン５によってプロペラ４の方に誘導されたビルジ渦９の拡散を防止する役割を果たす。前側フィン５と後側フィン６との隙間を流れる流体の流れ１０が、ビルジ渦９の拡散を防止する役割を果たす。
【００１１】
上述したようにビルジ渦９が弱められた場合、プロペラに流れ込む流体の流れがより均一になる。ビルジ渦９の拡散が防止された場合、ビルジ渦９によって発生する誘導抵抗が減少する。このようにして、船体抵抗を低減し、船舶の推進効率を向上させている。
【００１２】
本願発明者は、従来技術の効果を確認するために数値解析を行った。数値解析の結果は図３及び図４に示されている。図３（ａ）は、フィン装置が備えられていない裸殻船体のプロペラに流れ込む流体の流速を示す図であり、図３（ｂ）は、図１のフィン装置が備えられた船舶のプロペラに流れ込む流体の流速を示す図である。図４では、青色が裸殻船体の等圧力線を示し、黒っぽい色が図１のフィン装置が備えられた船舶の等圧力線を示す。図４では、船尾側に向かうほど等圧力線が示す圧力の大きさが大きくなる。
【００１３】
本願発明者は、数値解析を行う際、フィンの取付条件を特許文献１で開示された実施形態の範囲内で設定した。
【００１４】
前側フィン５は、船舶の長さ方向において船尾垂線（Ａ.Ｐ.）からＬｂｐの１５％の位置に配置し、船舶の高さ方向において船底からプロペラの直径の３０％の位置に取り付けた。さらに、前側フィン５の長さは、プロペラの直径と同じ長さに設定した。前側フィン５の幅は、プロペラの直径の７％に設定した。前側フィン５の船底に対する角度は、１０度に設定した。また、後側フィン６は、船舶の長さ方向においてプロペラのすぐ前の位置、及び船舶の高さ方向において船底からプロペラの直径の９０％の位置に取り付けた。後側フィン６の長さは、プロペラの直径の８０％に設定した。後側フィン６の幅は、プロペラの直径の１０％に設定した。後側フィン６は、船底と平行をなすように配置した。
【００１５】
このような条件の下で数値解析を行った結果として、図３を参照すると、図１のフィン装置が備えられた船舶のプロペラに流れ込む流体の流速は、フィン装置が備えられていない裸殻船体のプロペラに流れ込む流体の流速と比較して、プロペラの下部においてほとんどのことがわかる。また、プロペラの上部において、流速が減少した部分（薄い青色から濃い青色に変化した部分）があることもわかる。これはプロペラによって発生する振動を減少させる効果がほとんどないことを意味する。
【００１６】
また、図４を参照すると、図１のフィン装置が備えられた船舶の等圧力線は、裸殻船体の等圧力線とほぼ同一であるため、圧力抵抗がほとんど減少していないことがわかる。また、このように圧力抵抗が減少していないため、船舶の推進効率がそれほど向上しないことがわかる。
【００１７】
【特許文献１】特開２００２-３６２４８５号公報
【発明の概要】
【発明が解決しようとする課題】
【００１８】
本発明は、前記事情に鑑みてなされたものであって、その目的は、船舶推進器の上部及び下部に流れ込む流体の流れを加速することにより、船舶推進器にビルジ渦が流れ込まないようにして、船舶推進器によって発生する振動を減少し、船体抵抗を低減し得る、圧力抵抗及び船体振動を改善するための流れ制御装置を提供することにある。
【課題を解決するための手段】
【００１９】
本発明の一態様では、船舶の長さ方向において前記船舶の第２ステーションと第４ステーションとの間に配置され、前記船舶の高さ方向において前記船舶の船底から設計喫水の１０％〜２０％の間の高さに配置され、設計喫水線（又はベースライン）に対して２０度〜４０度の角度で傾けられた下側フィンと、前記船舶の前記長さ方向において前記船舶の前記第２ステーションと前記第４ステーションとの間に配置され、前記船舶の前記高さ方向において前記船舶の前記船底から前記設計喫水の３０％〜６０％の間の高さに配置され、前記設計喫水線（又はベースライン）に対して１０度〜３０度の角度で傾けられた上側フィンとを含むことを特徴とする圧力抵抗及び船体振動を改善するための流れ制御装置が提供される。
【００２０】
さらに、前記流れ制御装置は、前記船舶の前記長さ方向において前記船舶の第１ステーションと第３ステーションとの間に配置され、前記船舶の前記高さ方向において前記船舶の前記船底から前記設計喫水の５％〜２０％の間の高さに配置され、前記設計喫水線（又はベースライン）に対して１０度〜４０度の角度で傾けられた追加フィンを含むことが好ましい。
【００２１】
前記下側フィンは、新たなビルジ渦を生成する。前記新たなビルジ渦は、所定のビルジ渦と相互作用することにより、前記所定のビルジ渦の経路を変更させ、前記所定のビルジ渦がプロペラに流れ込むのを防止する。また前記新たなビルジ渦は、前記プロペラがなす平面を通過する流体の流速を落とし、抵抗に関する性能を改善させる。前記上側フィン及び前記追加フィンは、前記プロペラに流れ込む流体の流速を加速し、前記プロペラによって発生する振動を減少させる。特に、前記上側フィンは、船体の表面における平滑線をより直線化するので、抵抗に関する性能を改善するのに有用である。
【００２２】
前記上側フィン、前記下側フィン、及び前記追加フィンは、矩形、台形又は三角形の形状をなすように形成することができる。
【００２３】
前記上側フィン、前記下側フィン、及び前記追加フィンはそれぞれ、厚さが２０ｍｍ〜１００ｍｍであり、幅が前記船舶の長さの０.１％から０.５％の間の長さであり、長さが前記船舶の長さの０.３％から３％の間の長さである。
【００２４】
本発明の他の態様では、前記流れ制御装置を備える船舶が提供される。
【発明の効果】
【００２５】
本発明によれば、シンプルなフィンを取り付けるだけで、船舶推進器によって発生する振動を減少させることができる。これにより、乗員乗客が快適な環境で航海することができるようにし、また船舶の推進効率の向上により燃料を節約することができるようにするという効果を奏する。
【図面の簡単な説明】
【００２６】
【図１】従来技術による船舶のフィン装置を示す概略側面図である。
【図２】従来技術による船舶のフィン装置によって制御される流体の流れを示す概略側面図である。
【図３】図１のフィン装置が備えられた船舶のプロペラに流れ込む流体の流速と、フィン装置が備えられていない裸殻船体のプロペラに流れ込む流体の流速との比較を示す図である。
【図４】図１のフィン装置が備えられた船舶の等圧力線と、裸殻船体の等圧力線との比較を示す図である。
【図５】圧力抵抗及び船体振動を改善するための本発明の一実施形態に係る流れ制御装置が備えられた船舶の概略側面図である。
【図６】図５に示す流れ制御装置が備えられた船舶の部分平面図である。
【図７】図５に示す流れ制御装置が備えられた船舶のプロペラに流れ込む流体の流速と、流れ制御装置が備えられていない裸殻船体のプロペラに流れ込む流体の流速との比較を示す図である。
【図８】図７に示す流体の流速によって変化した、単位体積当たりに含まれるキャビティの量を示す図である。
【図９】図５に示す流れ制御装置が備えられた船舶の等圧力線と、裸殻船体の等圧力線との比較を示す図である。
【図１０】図５に示す流れ制御装置が備えられた船舶の有効馬力と、裸殻船体の有効馬力との比較を示す図である。
【発明を実施するための形態】
【００２７】
以下、本発明の好適な実施形態について図面を参照して詳細に説明する。
【００２８】
図５は、圧力抵抗及び船体振動を改善するための本発明の実施形態に係る流れ制御装置が備えられた船舶の概略側面図である。図６（ａ）〜６（ｃ）は、図５に示す流れ制御装置が備えられた船舶の部分平面図である。
【００２９】
本実施形態では、上側フィン１０２は、船舶１００の長さ方向（Ｘ軸方向）において第２ステーションと第４ステーションとの間の位置、及び船舶１００の高さ方向（Ｚ軸方向）において船底１０８から設計喫水の３０％〜６０％の間の高さＨ１に配置される。上側フィン１０２は、設計喫水線（又はベースライン）に対して１０度〜３０度の角度Ｄ１で傾斜して取り付けられる。
【００３０】
下側フィン１０４は、船舶１００の長さ方向（Ｘ軸方向）において第２ステーションと第４ステーションとの間の位置、及び船舶１００の高さ方向（Ｚ軸方向）において船底１０８から設計喫水の１０％〜２０％の間の高さＨ２に配置される。下側フィン１０４は、設計喫水線（又はベースライン）に対して２０度〜４０度の角度Ｄ２で傾斜して取り付けられる。
【００３１】
追加フィン１０６は、船舶１００の長さ方向（Ｘ軸方向）において第１ステーションと第３ステーションとの間の位置、及び船舶１００の高さ方向（Ｚ軸方向）において船底１０８から設計喫水の５％〜２０％の間の高さＨ３に配置される。上側フィン１０６は、設計喫水線（又はベースライン）に対して１０度〜４０度の角度Ｄ３で取り付けられる。
【００３２】
ここで、「ステーション」という用語は、ＬＢＰを均等に２０のセクションに分割した場合の隣接するセクション同士の間の境界のことをいう。各ステーションの番号は船尾部側から付与される。第１ステーションの番号は０で、最後のステーションの番号は２０である。「ＬＢＰ」とは、船首垂線と船尾垂線との間の距離のことである。「船首垂線（Ｆ.Ｐ）」とは、設計垂線と船尾の前面との交点を通り、且つ前記設計垂線に対して垂直な仮想線のことである。「船尾垂線（Ａ.Ｐ）」とは、船舶がラダーポスト（舵柱）を有している場合には、ラダーポストの後面と設計垂線との交点を通る仮想鉛直線のことであり、船舶がラダーポストを有していない場合には、ラダーストック（舵柄）の中心線と設計垂線との交点を通る仮想鉛直線のことである。
【００３３】
上側フィン１０２、下側フィン１０４、及び追加フィン１０６は、矩形、台形又は三角形の形状をなすように形成される。上側フィン１０２、下側フィン１０４、及び追加フィン１０６は、同じ形状をしていても良く、或いは異なる形状をしていても良い。上側フィン１０２、下側フィン１０４、及び追加フィン１０６は、船舶の両側面に対称をなすようにして取り付けられる。
【００３４】
上側フィン１０２、下側フィン１０４、及び追加フィン１０６の厚さＴ１、Ｔ２、Ｔ３はそれぞれ、２０ｍｍ〜１００ｍｍの間の厚さである。上側フィン１０２、下側フィン１０４、及び追加フィン１０６は、幅が、船舶１００の長さの０.１％〜０.５％の間の長さである。上側フィン１０２、下側フィン１０４、及び追加フィン１０６の長さＬ１、Ｌ２、Ｌ３はそれぞれ、船舶１００の長さの０.３％〜３％の間の長さである。ここで、「幅」とは、船体の表面から突出したフィン１０２、１０４、及び１０６の高さのことである。
【００３５】
上側フィン１０２は、プロペラの上部に流れ込む流体の流れを加速する役割を果たす。追加フィン１０６は、プロペラの下部に流れ込む流体の流れを加速する役割を果たす。特に、追加フィン１０６は、船体の表面における平滑線を直線化する役割を果たすので、抵抗に関する性能を改善するのに有用である。プロペラに流れ込む流体の流れが速くなった場合、前記プロペラのブレードで生成される空洞現象（キャビテーション）が減少する。したがって、船体の変動圧力が減少し、それによって船体の振動が減少する。「空洞現象」とは、特定の温度で周囲圧力が蒸気圧よりも低くなり、液体状態から気体状態に変わる現象のことである。
【００３６】
下側フィン１０４は、船底１０８に対する平滑線の流れ角度よりも大きな角度を有するように取り付けられるため、渦を生成する。前記渦は、船舶の船底から船側へ螺旋状に回り込む渦（即ち、ビルジ渦）と相互作用し、前記ビルジ渦がプロペラの上方を上方向に向かって流れるように誘導する。このため、前記ビルジ渦は、プロペラの側方に流れ込むことがない。ビルジ渦（即ち、不安定な渦）が、プロペラのブレードに流れ込まない場合、プロペラのブレードの後流は均一となり、船体の変動圧力を減少させることができるので、船体の振動が減少する。
【００３７】
また、下側フィン１０４によってプロペラの上部へ誘導されるビルジ渦は、プロペラの上部に流れ込む流体の流速を落とす役割を果たすので、プロペラの上部の圧力が増加する。プロペラの上部で増加した圧力は、船体を前進させる力として作用する。その結果として、船体の圧力抵抗が低減される。
【００３８】
図７は、図５に示す流れ制御装置が備えられた船舶のプロペラに流れ込む流体の流速と、流れ制御装置が備えられていない裸殻船体のプロペラに流れ込む流体の流速との比較を示す図である。図８は、図７に示す流体の流速により変化した、単位体積当たりに含まれるキャビティ（cavity）の量を示す図である。図９は、図５に示す流れ制御装置が備えられた船舶の等圧力線と、裸殻船体の等圧力線との比較を示す図である。図１０（ａ）及び１０（ｂ）は、図５に示す流れ制御装置が備えられた船舶の有効馬力と、裸殻船体の有効馬力との比較を示す図である。
【００３９】
本願発明者は、本発明に係る実施形態の効果を立証するために水槽でシミュレーション試験を行った。シミュレーション試験では、船舶の方形係数は０.８１に設定した。上側フィン１０２は、Ｘ軸方向において第３ステーションに配置し、Ｚ軸方向において船底１０８から設計喫水の４０％の高さに配置し、設計喫水線（又はベースライン）に対して１８.５度の角度で傾けて取り付けた。また、下側フィン１０４は、Ｘ軸方向において第３ステーションに配置し、Ｚ軸方向において船底１０８から設計喫水の１５％の高さに配置し、設計喫水線（又はベースライン）に対して３２度の角度で傾けて取り付けた。追加フィン１０６は、Ｘ軸方向において第２ステーションに配置し、Ｚ軸方向において船底１０８から設計喫水の１０％の高さに配置し、設計喫水線（又はベースライン）に対して２３度の角度で傾けて取り付けた。フィン１０２、１０４、及び１０６は、矩形形状を有し、その長さＬ１、Ｌ２、及びＬ３はそれぞれ、ＬＢＰの１％に設定し、その幅Ｗは、ＬＢＰの０.２％に設定した。
【００４０】
上述の条件の下で実施したシミュレーション試験及び数値解析の結果が図７〜図１０に示されている。
【００４１】
図７は、プロペラに流れ込む流体の軸線方向の流速の分布を示す図である。図７（ａ）は、流れ制御装置が備えられていない裸殻船体の実施例を示し、図７（ｂ）は、本実施形態に係る流れ制御装置が備えられた船舶の実施例を示す図である。
【００４２】
図７（ａ）と図７（ｂ）を比較すると、図７（ａ）では、プロペラの上部に流れ込む流体の流速が、０.４〜０.５の範囲を示す青色及び空色で表示されているのに対して、図７（ｂ）では、プロペラに流れ込む流体の流速が、０.６５〜０.８５の範囲を示す緑色及び黄色で表示されていることがわかる。また、プロペラの下部に流れ込む流体の流速を示す部分が、図７（ａ）では緑色で表示されているのに対して、図７（ｂ）ではオレンジ色で表示されているので、プロペラの下部に流れ込む流体の流速が０.７から０.９へと速くなったことがわかる。
【００４３】
上述したようにプロペラに流れ込む流体の流速が速くなった場合、プロペラによって発生する振動が減少する。その結果が図８に示されている。
【００４４】
図８では、横軸は、プロペラを船体後方から見たときの、１２時の方向を基準とした時計回り方向の回転角度（正の値）及び反時計回り方向の回転角度（負の値）を示し、縦軸は、単位体積当たりに含まれるキャビティを示す。
【００４５】
図８では、黄色の線（細い線）が、裸殻船体の実施例の場合の値に対応し、黄緑色の線（太い線）が、本実施形態の実施例の場合の値に対応する。これら２つの値より、単位体積当たりに含まれるキャビティの量は、裸殻船体の実施例の場合よりも本実施形態の実施例の場合の方が少ないことがわかる。キャビティの量が減少すれば、プロペラによって発生する振動は減少する。その結果、プロペラによって発生する振動は、裸殻船体の実施例の場合よりも本実施形態の実施例の場合の方が少なくなることを理解されたい。
【００４６】
図９は、船体の表面における等圧力線を示す。図９では、青色が本実施形態の実施例の場合の等圧力線に対応し、青色が裸殻船体の実施例の場合の等圧力線に対応する。等圧力線が示す値は、船尾の方に向かうほど大きくなる。
【００４７】
図９を参照すると、任意の１つの点に関して、裸殻船体の実施例の場合よりも本実施形態の実施例の場合の方が、前記任意の１つの点における圧力が大きいことがわかる。裸殻船体の実施例の場合と本実施形態の実施例の場合との間の差が著しく大きい部分は、円形の点線で示されている。
【００４８】
船体後方における圧力が上昇した場合、その圧力は、船舶を船首の方に向かって押す力として作用する。その結果として、圧力抵抗が減少するという効果が得られる。上述したように圧力抵抗が減少した場合、船舶の推進効率が向上する。その結果が図１０に示されている。
【００４９】
図１０（ａ）及び１０（ｂ）は、船舶の有効馬力を示す図である。図１０（ａ）及び１０（ｂ）では、横軸は船舶の速度を示し、縦軸は船舶の有効馬力を示す。そして、実線は本実施形態の実施例を示し、点線は裸殻船体の実施例を示す。
【００５０】
図１０（ａ）及び１０（ｂ）を参照すると、船舶を約１５.５ノットの速度で前進させるために、本実施形態の実施例の場合には１８０００ＰＳの馬力が必要であるのに対して、裸殻船体の実施例の場合には１９０００ＰＳの馬力が必要であることがわかる。換言すれば、有効馬力が約５％改善されたということがわかる。
【００５１】
本発明によれば、シンプルなフィンを取り付けるだけで、船舶推進器によって発生する振動を減少させることができる。これにより、乗員乗客が快適な環境で航海することができるようにし、また船舶の推進効率の向上により燃料を節約することができるようにする。
【００５２】
本発明について好適な実施形態を用いて図示及び説明してきたが、特許請求の範囲で定義される本発明の精神及び範囲から逸脱することなく多様な変更及び変形を加えることができることは当業者であれば理解されるであろう。
【図１】
2010502492.tif 000003
【図２】
2010502492.tif 000004
【図３】
2010502492.tif 000005
【図４】
2010502492.tif 000006
【図５】
2010502492.tif 000007
【図６】
2010502492.tif 000008
【図７】
2010502492.tif 000009
【図８】
2010502492.tif 000010
【図９】
2010502492.tif 000011
【図１０】
2010502492.tif 000012
【手続補正書】
【提出日】平成20年4月2日(2008.4.2)
【手続補正１】
【補正対象書類名】明細書
【補正対象項目名】全文
【補正方法】変更
【補正の内容】
【発明の詳細な説明】
【技術分野】
【０００１】
本発明は、圧力抵抗及び船体振動を改善するための流れ制御装置に関し、より詳しくは、船舶推進器によって生じる振動を減少させることによって船舶の乗員乗客が快適な環境で航海することができるようにし、また船舶の推進効率を向上させることによって燃料を節約することができるようにし得る、圧力抵抗及び船体振動を改善するための流れ制御装置に関する。
【背景技術】
【０００２】
近年、航空機などの輸送手段の発達に伴い、世界各地へ貨物が迅速に輸送されている。しかしながら、石油、天然ガス、自動車、コンテナなどのように積荷体積が非常に大きく、積荷重量が重い場合、これらのものを航空機で一度に大量に輸送することができないため、船舶で輸送するのが一般的である。
【０００３】
船舶を用いて貨物を輸送する場合、大量の貨物を一度に迅速に輸送するために、船舶の大型化及び高速化が必要である。しかしながら、大型の船舶を高速で移動させるためにエンジンの馬力が増加することにより、船舶推進器によって発生する船体振動が増し、消費される燃料の量が大幅に増えてしまう。
【０００４】
このため、エンジンの馬力を増加した場合でも、船舶推進器によって発生する船体振動を減少し、燃料を節約することができる装置の開発が求められている。
【０００５】
図１は、従来技術による船舶のフィン装置を示す側面概略図である。図２は、従来技術による船舶のフィン装置によって制御される流体の流れを示す側面概略図である。図３は、図１のフィン装置が備えられた船舶のプロペラに流れ込む流体の流速と、フィン装置が備えられていない裸殻船体（bare hull）のプロペラに流れ込む流体の流速との比較を示す図である。図４は、図１のフィン装置が備えられた船舶の等圧力線と裸殻船体の等圧力線との比較を示す図である。
【０００６】
前記従来技術による船舶のフィン装置は、特許文献１で開示されているものであり、推進効率を向上し、船体抵抗を低減することを目的としている。
【０００７】
前記船舶の前記フィン装置は、前方側面に配置されたフィン５と、後方側面に配置されたフィン６との２つのフィンを含む。フィン５、６の両方とも、船体の外板からほぼ直角方向に突出するように装着される。また、フィン５、６の両方とも、厚さの薄いものである。
【０００８】
前側フィン５は、船尾垂線８から船首側に距離Ｓ（Ｌｂｐの１５％以内）の位置にその取付起点を有し、プロペラ４の中心線の高さよりも低い高さにて取り付けられる。前側フィン５は、船尾側に向かうほど船底からの高さが高くなるように傾けられている。前側フィン５の長さＬ１は、プロペラ４の直径Ｄ以下である。前側フィン５の船体からの突出幅は、プロペラ４の直径Ｄの１０％以下である。
【０００９】
後側フィン６は、プロペラ４の中心線からプロペラチップの高さの間にて、船底に対して平行に取り付けられる。また、後側フィン６は、前記プロペラのすぐ前に取り付けられる。後側フィン６の長さＬ２は、プロペラ４の直径Ｄ以下である。後ろ側フィン６の船体からの突出幅は、プロペラ４の直径Ｄの２０％以下である。
【００１０】
前側フィン５は、船舶の船底から船側へ螺旋状に回り込む渦（ビルジ渦）９を弱め、その渦を順次プロペラの方に誘導する役割を果たす。後側フィン６は、前側フィン５によってプロペラ４の方に誘導されたビルジ渦９の拡散を防止する役割を果たす。前側フィン５と後側フィン６との隙間を流れる流体の流れ１０が、ビルジ渦９の拡散を防止する役割を果たす。
【００１１】
上述したようにビルジ渦９が弱められた場合、プロペラに流れ込む流体の流れがより均一になる。ビルジ渦９の拡散が防止された場合、ビルジ渦９によって発生する誘導抵抗が減少する。このようにして、船体抵抗を低減し、船舶の推進効率を向上させている。
【００１２】
本願発明者は、従来技術の効果を確認するために数値解析を行った。数値解析の結果は図３及び図４に示されている。図３（ａ）は、フィン装置が備えられていない裸殻船体のプロペラに流れ込む流体の流速を示す図であり、図３（ｂ）は、図１のフィン装置が備えられた船舶のプロペラに流れ込む流体の流速を示す図である。図４では、従来技術として示された線が、フィン装置が備えられた船舶の等圧力線を示し、裸殻船体として示された線が裸殻船体の等圧力線を示す。図４では、船尾側に向かうほど等圧力線が示す圧力の大きさが大きくなる。
【００１３】
本願発明者は、数値解析を行う際、フィンの取付条件を特許文献１で開示された実施形態の範囲内で設定した。
【００１４】
前側フィン５は、船舶の長さ方向において船尾垂線（Ａ.Ｐ.）からＬｂｐの１５％の位置に配置し、船舶の高さ方向において船底からプロペラの直径の３０％の位置に取り付けた。さらに、前側フィン５の長さは、プロペラの直径と同じ長さに設定した。前側フィン５の幅は、プロペラの直径の７％に設定した。前側フィン５の船底に対する角度は、１０度に設定した。また、後側フィン６は、船舶の長さ方向においてプロペラのすぐ前の位置、及び船舶の高さ方向において船底からプロペラの直径の９０％の位置に取り付けた。後側フィン６の長さは、プロペラの直径の８０％に設定した。後側フィン６の幅は、プロペラの直径の１０％に設定した。後側フィン６は、船底と平行をなすように配置した。
【００１５】
このような条件の下で数値解析を行った結果として、図３を参照すると、図１のフィン装置が備えられた船舶のプロペラに流れ込む流体の流速は、フィン装置が備えられていない裸殻船体のプロペラに流れ込む流体の流速と比較して、プロペラの下部においてほとんど流速が変化していないことがわかる。また、プロペラの上部において、図１のフィン装置が備えられた船舶のプロペラに流れ込む流体の流速が減少した部分があることもわかる。これは図１のフィン装置が備えられた船舶のプロペラによって発生する振動を減少させる効果がほとんどないことを意味する。
【００１６】
また、図４を参照すると、図１のフィン装置が備えられた船舶の等圧力線は、裸殻船体の等圧力線とほぼ同一であるため、圧力抵抗がほとんど減少していないことがわかる。また、このように圧力抵抗が減少していないため、船舶の推進効率がそれほど向上しないことがわかる。
【００１７】
【特許文献１】特開２００２-３６２４８５号公報
【発明の概要】
【発明が解決しようとする課題】
【００１８】
本発明は、前記事情に鑑みてなされたものであって、その目的は、船舶推進器の上部及び下部に流れ込む流体の流れを加速することにより、船舶推進器にビルジ渦が流れ込まないようにして、船舶推進器によって発生する振動を減少し、船体抵抗を低減し得る、圧力抵抗及び船体振動を改善するための流れ制御装置を提供することにある。
【課題を解決するための手段】
【００１９】
本発明の一態様では、船舶の長さ方向において前記船舶の第２ステーションと第４ステーションとの間に配置され、前記船舶の高さ方向において前記船舶の船底から設計喫水の１０％〜２０％の間の高さに配置され、設計喫水線（又はベースライン）に対して２０度〜４０度の角度で傾けられた下側フィンと、前記船舶の前記長さ方向において前記船舶の前記第２ステーションと前記第４ステーションとの間に配置され、前記船舶の前記高さ方向において前記船舶の前記船底から前記設計喫水の３０％〜６０％の間の高さに配置され、前記設計喫水線（又はベースライン）に対して１０度〜３０度の角度で傾けられた上側フィンとを含むことを特徴とする圧力抵抗及び船体振動を改善するための流れ制御装置が提供される。
【００２０】
さらに、前記流れ制御装置は、前記船舶の前記長さ方向において前記船舶の第１ステーションと第３ステーションとの間に配置され、前記船舶の前記高さ方向において前記船舶の前記船底から前記設計喫水の５％〜２０％の間の高さに配置され、前記設計喫水線（又はベースライン）に対して１０度〜４０度の角度で傾けられた追加フィンを含むことが好ましい。
【００２１】
前記下側フィンは、新たな渦を生成する。前記新たな渦は、所定のビルジ渦と相互作用することにより、前記所定のビルジ渦の経路を変更させ、前記所定のビルジ渦がプロペラに流れ込むのを防止する。また前記新たな渦は、前記プロペラがなす平面を通過する流体の流速を落とし、抵抗に関する性能を改善させる。前記上側フィン及び前記追加フィンは、前記プロペラに流れ込む流体の流速を加速し、前記プロペラによって発生する振動を減少させる。特に、前記上側フィンは、船体の表面における平滑線をより直線化するので、抵抗に関する性能を改善するのに有用である。
【００２２】
前記上側フィン、前記下側フィン、及び前記追加フィンは、矩形、台形又は三角形の形状をなすように形成することができる。
【００２３】
前記上側フィン、前記下側フィン、及び前記追加フィンはそれぞれ、厚さが２０ｍｍ〜１００ｍｍであり、幅が前記船舶の長さの０.１％から０.５％の間の長さであり、長さが前記船舶の長さの０.３％〜３％の間の長さである。
【００２４】
本発明の他の態様では、前記流れ制御装置を備える船舶が提供される。
【発明の効果】
【００２５】
本発明によれば、シンプルなフィンを取り付けるだけで、船舶推進器によって発生する振動を減少させることができる。これにより、乗員乗客が快適な環境で航海することができるようにし、また船舶の推進効率の向上により燃料を節約することができるようにするという効果を奏する。
【図面の簡単な説明】
【００２６】
【図１】従来技術による船舶のフィン装置を示す概略側面図である。
【図２】従来技術による船舶のフィン装置によって制御される流体の流れを示す概略側面図である。
【図３】図１のフィン装置が備えられた船舶のプロペラに流れ込む流体の流速と、フィン装置が備えられていない裸殻船体のプロペラに流れ込む流体の流速との比較を示す図である。
【図４】図１のフィン装置が備えられた船舶の等圧力線と、裸殻船体の等圧力線との比較を示す図である。
【図５】圧力抵抗及び船体振動を改善するための本発明の一実施形態に係る流れ制御装置が備えられた船舶の概略側面図である。
【図６】図５に示す流れ制御装置が備えられた船舶の部分平面図である。
【図７】図５に示す流れ制御装置が備えられた船舶のプロペラに流れ込む流体の流速と、流れ制御装置が備えられていない裸殻船体のプロペラに流れ込む流体の流速との比較を示す図である。
【図８】図７に示す流体の流速によって変化した、単位体積当たりに含まれるキャビティの量を示す図である。
【図９】図５に示す流れ制御装置が備えられた船舶の等圧力線と、裸殻船体の等圧力線との比較を示す図である。
【図１０】図５に示す流れ制御装置が備えられた船舶の有効馬力と、裸殻船体の有効馬力との比較を示す図である。
【発明を実施するための形態】
【００２７】
以下、本発明の好適な実施形態について図面を参照して詳細に説明する。
【００２８】
図５は、圧力抵抗及び船体振動を改善するための本発明の実施形態に係る流れ制御装置が備えられた船舶の概略側面図である。図６（ａ）〜６（ｃ）は、図５に示す流れ制御装置が備えられた船舶の部分平面図である。
【００２９】
本実施形態では、上側フィン１０２は、船舶１００の長さ方向（Ｘ軸方向）において第２ステーションと第４ステーションとの間の位置、及び船舶１００の高さ方向（Ｚ軸方向）において船底１０８から設計喫水の３０％〜６０％の間の高さＨ１に配置される。上側フィン１０２は、設計喫水線（又はベースライン）１１０に対して１０度〜３０度の角度Ｄ１で傾斜して取り付けられる。
【００３０】
下側フィン１０４は、船舶１００の長さ方向（Ｘ軸方向）において第２ステーションと第４ステーションとの間の位置、及び船舶１００の高さ方向（Ｚ軸方向）において船底１０８から設計喫水の１０％〜２０％の間の高さＨ２に配置される。下側フィン１０４は、設計喫水線（又はベースライン）１１０に対して２０度〜４０度の角度Ｄ２で傾斜して取り付けられる。
【００３１】
追加フィン１０６は、船舶１００の長さ方向（Ｘ軸方向）において第１ステーションと第３ステーションとの間の位置、及び船舶１００の高さ方向（Ｚ軸方向）において船底１０８から設計喫水の５％〜２０％の間の高さＨ３に配置される。追加フィン１０６は、設計喫水線（又はベースライン）１１０に対して１０度〜４０度の角度Ｄ３で取り付けられる。
【００３２】
ここで、「ステーション」という用語は、ＬＢＰを均等に２０のセクションに分割した場合の各セクションの船舶の長さ方向における位置のことを意味する。各ステーションの番号は船尾垂線側から付与される。第１ステーションのステーション番号は０で、最後のステーションのステーション番号は２０である。「ＬＢＰ」とは、船首垂線と船尾垂線との間の距離のことである。「船首垂線（Ｆ.Ｐ）」とは、設計喫水線と船尾の前面との交点を通り、且つ前記設計喫水線に対して垂直な仮想線のことである。「船尾垂線（Ａ.Ｐ）」とは、船舶がラダーポスト（舵柱）を有している場合には、ラダーポストの後面と設計喫水線との交点を通る仮想鉛直線のことであり、船舶がラダーポストを有していない場合には、ラダーストック（舵柄）の中心線と設計喫水線との交点を通る仮想鉛直線のことである。
【００３３】
上側フィン１０２、下側フィン１０４、及び追加フィン１０６は、矩形、台形又は三角形の形状をなすように形成される。上側フィン１０２、下側フィン１０４、及び追加フィン１０６は、同じ形状をしていても良く、或いは異なる形状をしていても良い。上側フィン１０２、下側フィン１０４、及び追加フィン１０６は、船舶の両側面に対称をなすようにして取り付けられる。
【００３４】
上側フィン１０２、下側フィン１０４、及び追加フィン１０６の厚さＴ１、Ｔ２、Ｔ３はそれぞれ、２０ｍｍ〜１００ｍｍの間の厚さである。上側フィン１０２、下側フィン１０４、及び追加フィン１０６は、幅が、船舶１００の長さの０.１％〜０.５％の間の長さである。上側フィン１０２、下側フィン１０４、及び追加フィン１０６の長さＬ１、Ｌ２、Ｌ３はそれぞれ、船舶１００の長さの０.３％〜３％の間の長さである。ここで、「幅」とは、船体の表面から突出したフィン１０２、１０４、及び１０６の高さのことである。
【００３５】
上側フィン１０２は、プロペラの上部に流れ込む流体の流れを加速する役割を果たす。追加フィン１０６は、プロペラの下部に流れ込む流体の流れを加速する役割を果たす。特に、上側フィン１０２及び追加フィン１０６は、船体の表面における平滑線を直線化する役割を果たすので、抵抗に関する性能を改善するのに有用である。プロペラに流れ込む流体の流れが速くなった場合、前記プロペラのブレードで生成される空洞現象（キャビテーション）が減少する。したがって、船体の変動圧力が減少し、それによって船体の振動が減少する。「空洞現象」とは、特定の温度で周囲圧力が蒸気圧よりも低くなり、液体状態から気体状態に変わる現象のことである。
【００３６】
下側フィン１０４は、船底１０８に対する平滑線の流れ角度よりも大きな角度を有するように取り付けられるため、渦を生成する。前記渦は、船舶の船底から船側へ螺旋状に回り込む渦（即ち、ビルジ渦）と相互作用し、前記ビルジ渦がプロペラの上方を上方向に向かって流れるように誘導する。このため、前記ビルジ渦は、プロペラの側方に流れ込むことがない。ビルジ渦（即ち、不安定な渦）が、プロペラのブレードに流れ込まない場合、プロペラのブレードの後流は均一となり、船体の変動圧力を減少させることができるので、船体の振動が減少する。
【００３７】
また、下側フィン１０４によってプロペラの上方の領域へ誘導されるビルジ渦は、プロペラの上方の領域に流れ込む流体の流速を落とす役割を果たすので、プロペラの上方の領域の圧力が増加する。プロペラの上方の領域で増加した圧力は、船体を前進させる力として作用する。その結果として、船体の圧力抵抗が低減される。
【００３８】
図７は、図５に示す流れ制御装置が備えられた船舶のプロペラに流れ込む流体の流速と、流れ制御装置が備えられていない裸殻船体のプロペラに流れ込む流体の流速との比較を示す図である。図８は、図７に示す流体の流速により変化した、単位体積当たりに含まれるキャビティ（cavity）の量を示す図である。図９は、図５に示す流れ制御装置が備えられた船舶の等圧力線と、裸殻船体の等圧力線との比較を示す図である。図１０（ａ）及び１０（ｂ）は、図５に示す流れ制御装置が備えられた船舶の有効馬力と、裸殻船体の有効馬力との比較を示す図である。
【００３９】
本願発明者は、本発明に係る実施形態の効果を立証するために水槽でシミュレーション試験を行った。シミュレーション試験では、船舶の方形係数は０.８１に設定した。上側フィン１０２は、Ｘ軸方向において第３ステーションに配置し、Ｚ軸方向において船底１０８から設計喫水の４０％の高さに配置し、設計喫水線（又はベースライン）１１０に対して１８.５度の角度で傾けて取り付けた。また、下側フィン１０４は、Ｘ軸方向において第３ステーションに配置し、Ｚ軸方向において船底１０８から設計喫水の１５％の高さに配置し、設計喫水線（又はベースライン）１１０に対して３２度の角度で傾けて取り付けた。追加フィン１０６は、Ｘ軸方向において第２ステーションに配置し、Ｚ軸方向において船底１０８から設計喫水の１０％の高さに配置し、設計喫水線（又はベースライン）１１０に対して２３度の角度で傾けて取り付けた。フィン１０２、１０４、及び１０６は、矩形形状を有し、その長さＬ１、Ｌ２、及びＬ３はそれぞれ、ＬＢＰの１％に設定し、その幅Ｗは、ＬＢＰの０.２％に設定した。
【００４０】
上述の条件の下で実施したシミュレーション試験及び数値解析の結果が図７〜図１０に示されている。
【００４１】
図７は、プロペラに流れ込む流体の軸線方向の流速の分布を示す図である。図７（ａ）は、流れ制御装置が備えられていない裸殻船体の実施例を示し、図７（ｂ）は、本実施形態に係る流れ制御装置が備えられた船舶の実施例を示す図である。
【００４２】
図７（ａ）と図７（ｂ）を比較すると、図７（ａ）では、プロペラの上部に流れ込む流体の流速が、０.４〜０.５であるのに対して、図７（ｂ）では、プロペラに流れ込む流体の流速が、０.６５〜０.８５であることがわかる。また、プロペラの下部に流れ込む流体の流速が、図７（ａ）では０.７であるのに対して、図７（ｂ）では０.９であるので、当該流速が速くなったことがわかる。
【００４３】
上述したようにプロペラに流れ込む流体の流速が速くなった場合、プロペラによって発生する振動が減少する。その結果が図８に示されている。
【００４４】
図８では、横軸は、プロペラを船体後方から見たときの、１２時の方向を基準とした時計回り方向の回転角度（正の値）及び反時計回り方向の回転角度（負の値）を示し、縦軸は、単位体積当たりに含まれるキャビティを示す。
【００４５】
図８では、細い線が、裸殻船体の実施例の場合の値に対応し、太い線が、本実施形態の実施例の場合の値に対応する。これら２つの値より、単位体積当たりに含まれるキャビティの量は、裸殻船体の実施例の場合よりも本実施形態の実施例の場合の方が少ないことがわかる。キャビティの量が減少すれば、プロペラによって発生する振動は減少する。その結果、プロペラによって発生する振動は、裸殻船体の実施例の場合よりも本実施形態の実施例の場合の方が少なくなることを理解されたい。
【００４６】
図９は、船体の表面における等圧力線を示す。図９では、太い実線の矢印が本実施形態の実施例の場合の等圧力線に対応し、点線の矢印が裸殻船体の実施例の場合の等圧力線に対応する。等圧力線が示す値は、船尾の方に向かうほど大きくなる。
【００４７】
図９を参照すると、任意の１つの点に関して、裸殻船体の実施例の場合よりも本実施形態の実施例の場合の方が、前記任意の１つの点における圧力が大きいことがわかる。裸殻船体の実施例の場合と本実施形態の実施例の場合との間の差が著しく大きい部分は、円形の点線で示されている。
【００４８】
船体後方における圧力が上昇した場合、その圧力は、船舶を船首の方に向かって押す力として作用する。その結果として、圧力抵抗が減少するという効果が得られる。上述したように圧力抵抗が減少した場合、船舶の推進効率が向上する。その結果が図１０に示されている。
【００４９】
図１０（ａ）及び１０（ｂ）は、船舶の有効馬力を示す図である。図１０（ａ）及び１０（ｂ）では、横軸は船舶の速度を示し、縦軸は船舶の有効馬力を示す。そして、実線は本実施形態の実施例を示し、点線は裸殻船体の実施例を示す。
【００５０】
図１０（ａ）及び１０（ｂ）を参照すると、船舶を約１５.５ノットの速度で前進させるために、本実施形態の実施例の場合には１８０００ＰＳの馬力が必要であるのに対して、裸殻船体の実施例の場合には１９０００ＰＳの馬力が必要であることがわかる。換言すれば、有効馬力が約５％改善されたということがわかる。
【００５１】
本発明によれば、シンプルなフィンを取り付けるだけで、船舶推進器によって発生する振動を減少させることができる。これにより、乗員乗客が快適な環境で航海することができるようにし、また船舶の推進効率の向上により燃料を節約することができるようにする。
【００５２】
本発明について好適な実施形態を用いて図示及び説明してきたが、特許請求の範囲で定義される本発明の精神及び範囲から逸脱することなく多様な変更及び変形を加えることができることは当業者であれば理解されるであろう。
【手続補正２】
【補正対象書類名】特許請求の範囲
【補正対象項目名】全文
【補正方法】変更
【補正の内容】
【特許請求の範囲】
【請求項１】
圧力抵抗及び船体振動を改善するための流れ制御装置であって、
船舶の長さ方向において船尾垂線から前記船舶の長さの１０％から２０％の間の位置、及び前記船舶の高さ方向において前記船舶の船底から設計喫水の１０％から２０％の間の位置に配置され、設計喫水線（又はベースライン）に対して２０度から４０度の角度で傾けられた下側フィンと、
前記船舶の前記長さ方向において前記船尾垂線から前記船舶の前記長さの１０％から２０％の間の位置、及び前記船舶の前記高さ方向において前記船舶の前記船底から前記設計喫水の３０％から６０％の間の位置に配置され、前記設計喫水線（又はベースライン）に対して１０度から３０度の角度で傾けられた上側フィンとを含むことを特徴とする流れ制御装置。
【請求項２】
前記船舶の前記長さ方向において前記船尾垂線から前記船舶の前記長さの５％から１５％の間の位置、及び前記船舶の前記高さ方向において前記船舶の前記船底から前記設計喫水の５％から２０％の間の位置に配置され、前記設計喫水線（又はベースライン）に対して１０度から４０度の角度で傾けられた追加フィンを更に含むことを特徴とする請求項１に記載の流れ制御装置。
【請求項３】
前記上側フィン、前記下側フィン、及び前記追加フィンは、矩形、台形又は三角形の形状をなすように形成されることを特徴とする請求項２に記載の流れ制御装置。
【請求項４】
前記上側フィン、前記下側フィン、及び前記追加フィンはそれぞれ、厚さが２０ｍｍから１００ｍｍであり、幅が前記船舶の前記長さの０.１％から０.５％の間の長さであり、長さが前記船舶の前記長さの０.３％から３％の間の長さであることを特徴とする請求項３に記載の流れ制御装置。
【請求項５】
船舶であって、
請求項１に記載の前記流れ制御装置を備えることを特徴とする船舶。
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
圧力抵抗及び船体振動を改善するための流れ制御装置であって、
船舶の長さ方向において船尾垂線から前記船舶の長さの１０％から２０％の間の位置、及び前記船舶の高さ方向において前記船舶の船底から設計喫水の１０％から２０％の間の位置に配置され、設計喫水線（又はベースライン）に対して２０度から４０度の角度で傾けられた下側フィンと、
前記船舶の前記長さ方向において前記船尾垂線から前記船舶の前記長さの５％から１５％の間の位置、及び前記船舶の前記高さ方向において前記船舶の前記船底から前記設計喫水の５％から２０％の間の位置に配置され、前記設計喫水線（又はベースライン）に対して１０度から４０度の角度で傾けられた追加フィンとを含むことを特徴とする流れ制御装置。
【請求項２】
前記船舶の前記長さ方向において前記船尾垂線から前記船舶の前記長さの１０％から２０％の間の位置、及び前記船舶の前記高さ方向において前記船舶の前記船底から前記設計喫水の３０％から６０％の間の位置に配置され、前記設計喫水線（又はベースライン）に対して１０度から３０度の角度で傾けられた上側フィンを更に含むことを特徴とする請求項１に記載の流れ制御装置。
【請求項３】
前記上側フィン、前記下側フィン、及び前記追加フィンは、矩形、台形又は三角形の形状をなすように形成されることを特徴とする請求項２に記載の流れ制御装置。
【請求項４】
前記上側フィン、前記下側フィン、及び前記追加フィンはそれぞれ、厚さが２０ｍｍから１００ｍｍであり、幅が前記船舶の前記長さの０.１％から０.５％の間の長さであり、長さが前記船舶の前記長さの０.３％から３％の間の長さであることを特徴とする請求項３に記載の流れ制御装置。
【請求項５】
船舶であって、
請求項１に記載の前記流れ制御装置を備えることを特徴とする船舶。
【国際調査報告】
2010502492.tif 000013
2010502492.tif 000014
2010502492.tif 000015